(57)【要約】【課題】ブリスターパッケージ内で商品が動きブリスターパッケージの正面に対して商品の正面が傾くことを防止する。【解決手段】欠部２２は表面部２０に形成されている。長方形の欠部２２の縁２２Ａの長辺に相当する互いに対向する部分に、それら縁２２Ａの部分を接続する接続片３０が表面部２０を構成する一枚の厚紙に一体に設けられている。接続片３０は、リモコン装置５０が表面部２０に載置された際に、欠部２２の縁２２Ａに係止されなかった凸状の背面５６の部分５６Ｂが、欠部２２を通して収容凹部２４に収容された状態で、収容凹部２４内で凸状の背面５６の部分５６Ｂに沿って変形可能で、欠部２２の縁２２Ａに係止されなかった凸状の背面５６の部分５６Ｂを、接続片３０が有する弾性によりブリスターパッケージ１２の正面部１６０２の方向に押え付ける。【選択図】図４
2008044675.tif 000002
【特許請求の範囲】
【請求項１】
厚紙からなる台座と、前記台座に取り付けられた透明な合成樹脂製のブリスターカバーとを備え、正面と、前記正面から離れるにつれて前記正面と平行する断面が次第に小さくなる凸状の背面とを有する被収容物をそれら台座とブリスターカバーとで収容するブリスターパッケージであって、
前記台座に設けられた一枚の厚紙からなる表面部と、
前記表面部に設けられた欠部と、
前記表面部の下方で前記欠部に連通するように前記台座に設けられた収容凹部とを備え、
前記欠部は、前記表面部に載置された前記被収容物の前記凸状の背面の部分にその縁が係止し前記表面部の下方に前記係止されなかった前記凸状の背面の部分を位置させるように形成され、
前記収容凹部は、前記欠部の縁に係止されなかった前記凸状の背面の部分を収容するように形成され、
前記ブリスターカバーは、前記欠部の縁に係止されなかった前記凸状の背面の部分が前記欠部を通して前記収容凹部に収容された状態で、前記被収容物の正面と、前記凸状の背面が前記欠部の縁に係止された部分とを、前記欠部の縁との間で挟持する正面部を有しており、
前記欠部の互いに対向する縁部分を接続し、前記収容凹部の方向に変形可能な接続片が前記表面部を構成する厚紙に一体に設けられ、
前記接続片は、前記欠部の縁に係止されなかった前記凸状の背面の部分が前記欠部を通って前記収容凹部に収容された状態で前記収容凹部内で前記凸状の背面の部分に沿って変形し前記背面の部分を前記ブリスターカバーの前記正面部の方向に押え付けている、
ことを特徴とするブリスターパッケージ。
【請求項２】
前記接続片は互いに間隔をおいて複数設けられている、
ことを特徴とする請求項１記載のブリスターパッケージ。
【請求項３】
前記接続片は、その延在方向の中間部に湾曲した少なくとも１つの湾曲片部を有し、
前記接続片は、前記湾曲片部と、前記湾曲片部を挟んで互いに平行して延在する少なくとも２つの片体とを含んで構成されている、
ことを特徴とする請求項１記載のブリスターパッケージ。
【請求項４】
前記湾曲片部は前記接続片の延在方向に間隔をおいて２つ設けられ、
前記接続片は、前記２つの湾曲片部と、前記２つの湾曲片部をそれぞれ挟んで互いに平行して延在する３つの片体とを含んで構成されている、
ことを特徴とする請求項３記載のブリスターパッケージ。
【請求項５】
前記被収容物の正面は長方形状を呈し、
前記正面の４辺からそれぞれ側面が垂設され、
前記背面は前記側面の端部を接続するように設けられ、
前記欠部に係止される前記凸状の背面の部分は、前記側面寄りの箇所である、
ことを特徴とする請求項１記載のブリスターパッケージ。
【請求項６】
前記被収容物の正面は長方形状を呈し、
前記正面の４辺からそれぞれ側面が垂設され、
前記背面は、各側面の下端にそれぞれ接続され前記側面の下端から離れるにつれて前記正面の輪郭の内側に入る傾斜の傾斜面と、各傾斜面の下端を接続し前記正面に平行し正面よりも小さい輪郭の長方形状の底面を有し、
前記欠部の縁に係止される凸状の背面の部分は、前記側面寄りの前記傾斜面の箇所である、
ことを特徴とする請求項１記載のブリスターパッケージ。
【発明の詳細な説明】
【技術分野】
【０００１】
本発明は被収容物を収容するブリスターパッケージに関し、より詳細には、厚紙と、透明な合成樹脂製のブリスターカバーとを合わせて被収容物を収容するブリスターパッケージに関する。
【背景技術】
【０００２】
従来、厚紙と、透明な合成樹脂製のブリスターカバーとを合わせて商品を収容するブリスターパッケージは、各種の商品を店頭で陳列させる際に用いられている。
この場合、商品の背面が平坦な場合は、ブリスターカバーに商品を収容する凹部を設けておけばよく、出荷時、輸送時、陳列時における振動や衝撃などにより、ブリスターパッケージの正面に対して商品の正面が傾くことはない。
しかしながら商品の背面が凸状である場合、厚紙からなる台座を設け、この台座の表面に商品の凸状の背面を収容する収容凹部を設けておき、前記収容凹部に前記凸状の背面を収容して商品の正面をブリスターカバーで押え付けることが考えられる（例えば、特許文献１、特許文献２、特許文献３）。
【特許文献１】特開２００６−６９６０４
【特許文献２】特開２００５−２２７４７
【特許文献３】特開２００４−５９１２４
【発明の開示】
【発明が解決しようとする課題】
【０００３】
しかしながら、このような構成のブリスターパッケージでは、出荷時、輸送時、陳列時における振動や衝撃などにより、ブリスターパッケージ内で商品が動き易く、したがって、ブリスターパッケージの正面に対して商品の正面が傾き易い。
そして、ブリスターパッケージの正面に対して商品の正面が傾いた状態では、店頭陳列時の見栄えが悪く、商品価値を損なうという不具合がある。
本発明は前記事情に鑑み案出されたものであって、本発明の目的は、ブリスターパッケージ内で商品が動きブリスターパッケージの正面に対して商品の正面が傾くことを防止する上で有利なブリスターパッケージを提供することにある。
【課題を解決するための手段】
【０００４】
前記目的を達成するため本発明は、厚紙からなる台座と、前記台座に取り付けられた透明な合成樹脂製のブリスターカバーとを備え、正面と、前記正面から離れるにつれて前記正面と平行する断面が次第に小さくなる凸状の背面とを有する被収容物をそれら台座とブリスターカバーとで収容するブリスターパッケージであって、前記台座に設けられた一枚の厚紙からなる表面部と、前記表面部に設けられた欠部と、前記表面部の下方で前記欠部に連通するように前記台座に設けられた収容凹部とを備えている。前記欠部は、前記表面部に載置された前記被収容物の前記凸状の背面の部分にその縁が係止し前記表面部の下方に前記係止されなかった前記凸状の背面の部分を位置させるように形成されている。前記収容凹部は、前記欠部の縁に係止されなかった前記凸状の背面の部分を収容するように形成されている。前記ブリスターカバーは、前記欠部の縁に係止されなかった前記凸状の背面の部分が前記欠部を通して前記収容凹部に収容された状態で、前記被収容物の正面と、前記凸状の背面が前記欠部の縁に係止された部分とを、前記欠部の縁との間で挟持する正面部を有している。前記欠部の互いに対向する縁部分を接続し、前記収容凹部の方向に変形可能な接続片が前記表面部を構成する厚紙に一体に設けられている。前記接続片は、前記欠部の縁に係止されなかった前記凸状の背面の部分が前記欠部を通って前記収容凹部に収容された状態で前記収容凹部内で前記凸状の背面の部分に沿って変形し前記背面の部分を前記ブリスターカバーの前記正面部の方向に押え付けている。
【発明の効果】
【０００５】
本発明によれば、被収容物は接続片によりブリスターカバーの正面部の方向に押え付けられているので、ブリスターカバーの正面部に対して被収容物の正面が傾くことが防止され、店頭陳列時のブリスターパッケージおよび商品の見栄えを高め、商品価値を高める上で有利となる。
【発明を実施するための最良の形態】
【０００６】
以下、本発明の実施の形態を図面にしたがって説明する。
図１（Ａ）は被収容物が収容されたブリスターパッケージの斜視図、（Ｂ）は（Ａ）のＢ―Ｂ断面図、図２（Ａ）は被収容物であるリモコン装置の平面図、（Ｂ）は（Ａ）のＢ矢視図、（Ｃ）は（Ａ）のＣ矢視図、図３は台座の表面部の平面図、図４はリモコン装置が収容された状態の断面正面図、図５はリモコン装置が収容された状態の断面側面図である。
まず、本発明のブリスターパッケージ１２に収納される被収容物から説明する。
本実施の形態では、被収容物はリモコン装置５０であり、この１つのリモコン装置５０によりテレビ、ＤＶＤレコーダ、ＣＤ＆ＭＤプレーヤなどの異なった複数種類の電子機器が遠隔操作される。
図２に示すように、リモコン装置５０は合成樹脂製のケース５２を有し、ケース５２は長方形状の正面５４を有している。
正面５４には、電源スイッチや、遠隔操作すべき電子機器に対応させた切り替えや、操作スイッチなどの各種のスイッチ５４０２や、ディスプレイ５４０４などが設けられ、ケース５２の長手方向の一方の端面には赤外線信号を送信するための赤外線発光素子などが設けられている。
正面５４の４辺からそれぞれ側面５５が垂設されている。
また、各側面５５の下端を接続し正面５４から離れるにつれて正面５４と平行する断面が次第に小さくなる凸状の背面５６が設けられている。
背面５６は、各側面５５の下端にそれぞれ接続され側面５５の下端から離れるにつれて正面５４の輪郭の内側に入る傾斜の傾斜面５８と、各傾斜面５８の下端を接続し正面５４に平行し正面５４よりも小さい輪郭の長方形状の底面６０を有し、背面５６の全体は各傾斜面５８と底面６０とで凸状となっている。傾斜面５８は、本実施の形態では湾曲面で形成され、背面５６には、例えば、電池収容室などが設けられている。
【０００７】
ブリスターパッケージ１２は、厚紙からなる台座１４と、無色透明、または、淡色透明などのようにほぼ透明な合成樹脂製のシートからなるブリスターカバー１６とを含んで構成されている。なお、台座１４に用いられる厚紙には、従来公知の様々な材料が使用可能であり、また、ブリスターカバー１６に用いられる透明な合成樹脂製のシートには、従来公知の様々な材料が使用可能である。
【０００８】
図１に示すように、台座１４は、一枚の厚紙からなりリモコン装置５０が載置される長方形を呈する表面部２０と、図１、図３に示すように、表面部２０に設けられた欠部２２と、表面部２０の下方に設けられた収容凹部２４とを備えている。
欠部２２は、ケース５２の正面５４よりも小さい輪郭の長方形状で表面部２０に形成され、図４、図５に示すように、欠部２２の縁２２Ａは、リモコン装置５０が表面部２０に載置された際に、リモコン装置５０の凸状の背面５６の部分５６Ａに係止し、欠部２２の縁２２Ａに係止されなかった凸状の背面５６の部分５６Ｂを表面部２０の下方に位置させるものである。
本実施の形態では、欠部２２の縁２２Ａに係止される凸状の背面５６の部分５６Ａは、側面５５寄りの箇所であり、より詳細には、側面５５寄りの傾斜面５８の箇所である。
収容凹部２４は、欠部２２に連通して設けられ、欠部２２の縁２２Ａに係止されなかった凸状の背面５６の部分５６Ｂを収容するものである。
また、本実施の形態では、表面部２０の長手方向の両端に、ケース５２の正面５４と、欠部２２の縁２２Ａに係止される凸状の背面５６の部分５６Ａとの間の寸法と同じ寸法の高さ、または、その寸法よりも僅かに小さい寸法の高さの箱部２６、２８が設けられている。
なお、このような表面部２０や収容凹部２４、箱部２６、２８を有する台座１４の構成は、一枚の厚紙を用いて構成してもよく、あるいは、複数枚の厚紙を用いて構成してもよく、従来公知の様々な台座の構成が採用可能である。
【０００９】
そして、図３に示すように、長方形の欠部２２の縁２２Ａの長辺に相当する互いに対向する部分に、それら縁２２Ａの部分を接続する接続片３０が表面部２０を構成する一枚の厚紙に一体に設けられている。
接続片３０は、リモコン装置５０が表面部２０に載置された際に、欠部２２の縁２２Ａに係止されなかった凸状の背面５６の部分５６Ｂが、欠部２２を通して収容凹部２４に収容された状態で、収容凹部２４内で凸状の背面５６の部分５６Ｂに沿って変形可能で、欠部２２の縁２２Ａに係止されなかった凸状の背面５６の部分５６Ｂを、接続片３０が有する弾性により正面５４の方向に（後述するブリスターパッケージ１２の正面部１６０２の方向に）押え付けるように構成されている。
本実施の形態では、接続片３０は欠部２２の長手方向に間隔をおいて２つ設けられ、それら接続片３０は欠部２２の成形時に同時に成形され、２つの接続片３０は欠部２２の成形時に表面部２０と同一面上を延在し、２つの接続片３０により長方形状の欠部２２は３つの欠部２２Ａ、２２Ｂ、２２Ｃに分離されている。
接続片３０の形状は、本実施の形態では、その延在方向の中間部に湾曲した少なくとも１つの湾曲片部３００２を有し、接続片３０は、湾曲片部３００２と、湾曲片部３００２を挟んで互いに平行して延在する少なくとも２つの片体３００４とを含んで構成されている。
より詳細には、湾曲片部３００２は接続片３０の延在方向に間隔をおいて２つ設けられ、接続片３０は、２つの湾曲片部３００２と、２つの湾曲片部３００２をそれぞれ挟んで互いに平行して延在する３つの片体３００４とを含んで構成され、接続片３０が欠部２２の縁２２Ａに接続される部分は、他の部分よりも幅が大きく形成されている。
なお、接続片３０の形状は、互いに異なった向きで延在する複数の片体を組み合わせて構成するなど種々考えられるが、上述のように構成すると意匠的に優れたものとなる。
【００１０】
ブリスターカバー１６は、図１に示すように、ブリスターパッケージ１２の正面を構成する正面部１６０２と、ブリスターパッケージ１２の４つの側面を構成する４つの側面部１６０４と、台座１４の背面に係止される背面部１６０６などを有し、４つの側面部１６０４のうちの一つの側面部１６０４には吊り下げ片１６０８が突設され、吊り下げ片１６０８にはフックが挿通される孔１６１０が形成されている。
そして、ブリスターカバー１６は、モコン装置５０が表面部２０に載置された際、欠部２２の縁２２Ａに係止されなかった凸状の背面５６の部分５６Ｂが、欠部２２を通して収容凹部２４に収容された状態で台座１４に装着され、図４、図５に示すように、正面部１６０２と欠部２２の縁２２Ａとにより、リモコン装置５０のケース５２の正面５４（あるいは正面５４に設けられた各種のスイッチ５４０２の上面）と背面５６の部分５６Ａとを挟持している。
なお、このようなブリスターカバー１６の構成や、ブリスターカバー１６の台座１４への取り付け構造には、従来公知の様々な構成が採用可能である。
【００１１】
次に、作用、効果について説明する。
凸状の背面５６を有するリモコン装置５０をブリスターパッケージ１２に収容する場合、台座１６の表面部２０に欠部２２を設け、この欠部２２の縁２２Ａに凸状の背面５６の部分を係止するのみでは、出荷時、輸送時、陳列時における振動や衝撃などにより、ブリスターパッケージ１２内でリモコン装置５０が動き易く、したがって、ブリスターカバー１６の正面１６０２に対してリモコン装置５０の正面５４が傾き易い。
これに対して本実施の形態では欠部２２を横切るように２つの接続片３０が設けられ、それら接続片３０は、リモコン装置５０が表面部２０に載置された際に、欠部２２の縁２２Ａに係止されなかった凸状の背面５６の部分５６Ｂをブリスターカバー１６の正面部１６０２の方向に向けて押え付けている。
したがって、正面１６０２と欠部２２の縁２２Ａとにより、リモコン装置５０のケース５２の部分（正面５４と背面５６の部分５６Ａとの間のケース５２の部分）が挟持され、かつ、２つの接続片３０が凸状の背面５６の部分５６Ｂを正面部１６０２に向けて押え付けているので、出荷時、輸送時、陳列時における振動や衝撃などにより、ブリスターパッケージ１２内でリモコン装置５０が動こうとしても、接続片３０の弾性によりリモコン装置５０の動きが阻止される。
したがって、ブリスターパッケージ１２内でリモコン装置５０が動きブリスターカバー１６の正面部１６０２に対してリモコン装置５０の正面５４が傾くことが防止され、店頭陳列時のブリスターパッケージ１２およびリモコン装置５０の見栄えを高め、商品価値を高める上で有利となる。
また、接続片３０は、表面部２０を構成する一枚の厚紙に一体に設けられているので、何ら部品を増やすことなく、ブリスターカバー１６の正面部１６０２に対してリモコン装置５０の正面５４が傾くことが防止され、したがって、コストを削減する上でも有利である。
【００１２】
なお、本実施の形態では、ブリスターパッケージ１２に収容される被収容物（商品）がリモコン装置５０である場合を例にとって説明したが、被収容物はこのような電子機器に限定されず、様々な商品に適用される。
また、接続片３０が形成された表面部２０を構成する一枚の厚紙は、接続片３０が弾性を発揮するものであれば一枚の合成樹脂製のシートであってもよく、従って、本発明において接続片および表面部を構成する厚紙は、合成樹脂製のシートをも含むものである。
【図面の簡単な説明】
【００１３】
【図１】（Ａ）は被収容物が収容されたブリスターパッケージの斜視図、（Ｂ）は（Ａ）のＢ―Ｂ断面図である。
【図２】（Ａ）は被収容物であるリモコン装置の平面図、（Ｂ）は（Ａ）のＢ矢視図、（Ｃ）は（Ａ）のＣ矢視図である。
【図３】台座の表面部の平面図である。
【図４】リモコン装置が収容された状態の断面正面図である。
【図５】リモコン装置が収容された状態の断面側面図である。
【符号の説明】
【００１４】
１２……ブリスターパッケージ、１４……台座、１６……ブリスターカバー、２０……表面部、２２……欠部、２４……収容凹部、３０……接続片、３００２……湾曲片部、３００４……片体、５０……リモコン装置、５２……ケース、５６……背面。
【図１】
2008044675.tif 000003
【図２】
2008044675.tif 000004
【図３】
2008044675.tif 000005
【図４】
2008044675.tif 000006
【図５】
2008044675.tif 000007
【手続補正書】
【提出日】平成19年8月6日(2007.8.6)
【手続補正１】
【補正対象書類名】明細書
【補正対象項目名】０００９
【補正方法】変更
【補正の内容】
【０００９】
そして、図３に示すように、長方形の欠部２２の縁２２Ａの長辺に相当する互いに対向する部分に、それら縁２２Ａの部分を接続する接続片３０が表面部２０を構成する一枚の厚紙に一体に設けられている。
接続片３０は、リモコン装置５０が表面部２０に載置された際に、欠部２２の縁２２Ａに係止されなかった凸状の背面５６の部分５６Ｂが、欠部２２を通して収容凹部２４に収容された状態で、収容凹部２４内で凸状の背面５６の部分５６Ｂに沿って変形可能で、欠部２２の縁２２Ａに係止されなかった凸状の背面５６の部分５６Ｂを、接続片３０が有する弾性により正面５４の方向に（後述するブリスターパッケージ１２の正面部１６０２の方向に）押え付けるように構成されている。
本実施の形態では、接続片３０は欠部２２の長手方向に間隔をおいて２つ設けられ、それら接続片３０は欠部２２の成形時に同時に成形され、２つの接続片３０は欠部２２の成形時に表面部２０と同一面上を延在し、２つの接続片３０により長方形状の欠部２２は３つの欠部２２０２Ａ、２２０２Ｂ、２２０２Ｃに分離されている。
接続片３０の形状は、本実施の形態では、その延在方向の中間部に湾曲した少なくとも１つの湾曲片部３００２を有し、接続片３０は、湾曲片部３００２と、湾曲片部３００２を挟んで互いに平行して延在する少なくとも２つの片体３００４とを含んで構成されている。
より詳細には、湾曲片部３００２は接続片３０の延在方向に間隔をおいて２つ設けられ、接続片３０は、２つの湾曲片部３００２と、２つの湾曲片部３００２をそれぞれ挟んで互いに平行して延在する３つの片体３００４とを含んで構成され、接続片３０が欠部２２の縁２２Ａに接続される部分は、他の部分よりも幅が大きく形成されている。
なお、接続片３０の形状は、互いに異なった向きで延在する複数の片体を組み合わせて構成するなど種々考えられるが、上述のように構成すると意匠的に優れたものとなる。
【手続補正２】
【補正対象書類名】図面
【補正対象項目名】図３
【補正方法】変更
【補正の内容】
【図３】
2008044675.tif 000008